(57)【要約】【課題】より高い強度で照明器具を保持することができる取付部材及びこれを備えた照明装置を提供する。【解決手段】取付部材２が、引掛ローゼット１００の１対の耳部１０２に固定される固定部２２を備える。固定部２２は、１対の耳部１０２をそれぞれ挟み込んだ状態で固定される挟持部２２２を有する。これにより、１対の耳部１０２に取り付けられた取付ねじを介して照明器具を保持するような従来の構成と比較して、１対の耳部１０２に取付部材２が直接固定されるため、より高い強度で照明器具３を保持することができる。【選択図】  図３
2013149556.tif 000002
【特許請求の範囲】
【請求項１】
１対の耳部を有する引掛ローゼットに取付可能であり、照明器具を保持するための取付部材であって、
前記１対の耳部に固定される固定部と、
前記照明器具を保持するための保持部とを備え、
前記固定部は、前記１対の耳部をそれぞれ挟み込んだ状態で固定される挟持部を有することを特徴とする取付部材。
【請求項２】
前記固定部は、前記挟持部が前記１対の耳部をそれぞれ挟み込んだ状態で、前記１対の耳部にそれぞれ形成されたねじ孔に対向する貫通孔を有することを特徴とする請求項１に記載の取付部材。
【請求項３】
前記保持部は、前記照明器具を前記引掛ローゼットに接近させた場合に、前記照明器具に接触することにより、当該照明器具を引っ掛けた状態で保持可能な係合部を有することを特徴とする請求項１又は２に記載の取付部材。
【請求項４】
請求項１〜３のいずれかに記載の取付部材と、
前記取付部材に取付可能な照明器具とを備え、
前記照明器具は、前記取付部材により保持される本体部と、前記本体部に取り付けられたＬＥＤ素子と、前記ＬＥＤ素子の外側を覆うためのカバー部材とを有し、
前記本体部、前記ＬＥＤ素子及び前記カバー部材が一体的に構成された状態で、前記取付部材に前記照明器具を取付可能であることを特徴とする照明装置。
【請求項５】
請求項３に記載の取付部材と、
前記取付部材に取付可能な照明器具とを備え、
前記取付部材及び前記照明器具のうち少なくとも一方は、前記係合部による前記照明器具の保持状態を解除するために操作可能な操作部を有することを特徴とする照明装置。
【発明の詳細な説明】
【技術分野】
【０００１】
本発明は、１対の耳部を有する引掛ローゼットに取付可能であり、照明器具を保持するための取付部材及びこれを備えた照明装置に関するものである。
【背景技術】
【０００２】
天井に設けられた引掛ローゼットに取付可能な照明器具が知られている（例えば、下記特許文献１参照）。引掛ローゼットには、それぞれ水平方向に延びる１対の耳部（取付金具）が設けられている。これらの１対の耳部を用いて照明器具を取り付ける場合には、特許文献１の図１、図５及び図８などに例示されているように、１対の耳部に取付ねじ（ローレットねじ）を取り付けるのが一般的である。
【０００３】
具体的には、引掛ローゼットの１対の耳部に予め取付ねじを取り付けた状態で、照明器具の本体部を下方から引掛ローゼットに接近させる。照明器具の本体部には、その中央に開口部が形成されており、当該開口部の周縁部には、ダルマ孔と呼ばれる１対の長孔が形成されている。引掛ローゼットに接近させられた本体部の１対の長孔には、１対の耳部に取り付けられている取付ねじの頭部がそれぞれ挿入される。その後、照明器具の本体部を水平面内で回転させることにより、各取付ねじが１対の長孔に係合し、この状態で各取付ねじを締め付けることにより、本体部を引掛ローゼットに固定することができる。
【０００４】
このような照明器具に用いられる光源は、一般的には蛍光灯であり、蛍光灯を本体部に対して着脱できるように構成されている。引掛ローゼットに固定された照明器具の本体部には、カバー部材を取り付けることができるようになっており、当該カバー部材を本体部に取り付けることにより、蛍光灯の外側を覆うことができる。例えば蛍光灯を交換する際には、カバー部材を取り外した後に蛍光灯を付け替え、再び本体部にカバー部材を取り付けることとなる。
【先行技術文献】
【特許文献】
【０００５】
【特許文献１】実用新案登録第２５９６００５号公報
【発明の概要】
【発明が解決しようとする課題】
【０００６】
しかしながら、上記のような従来の構成では、１対の耳部に取り付けられた取付ねじのみで照明器具を保持することとなる。そのため、強度が十分であるとは言い難く、より高い強度で照明器具を保持することができれば望ましい。
【０００７】
また、上記のような従来の構成では、照明器具を引掛ローゼットに取り付ける際に、１対の耳部に取付ねじを取り付ける作業、照明器具の本体部に形成された１対の長孔に各取付ねじの頭部を挿入させる作業、その後に照明器具の本体部を水平面内で回転させる作業、さらに各取付ねじを締め付ける作業などを行わなければならない。そのため、照明器具の取付作業が煩雑であるという問題があった。
【０００８】
本発明は、上記実情に鑑みてなされたものであり、より高い強度で照明器具を保持することができる取付部材及びこれを備えた照明装置を提供することを目的とする。また、本発明は、照明器具の取付作業が容易な取付部材及びこれを備えた照明装置を提供することを目的とする。
【課題を解決するための手段】
【０００９】
本発明に係る取付部材は、１対の耳部を有する引掛ローゼットに取付可能であり、照明器具を保持するための取付部材であって、前記１対の耳部に固定される固定部と、前記照明器具を保持するための保持部とを備え、前記固定部は、前記１対の耳部をそれぞれ挟み込んだ状態で固定される挟持部を有することを特徴とする。
【００１０】
このような構成によれば、１対の耳部をそれぞれ挟み込んだ状態で挟持部が固定されることにより、取付部材が引掛ローゼットに取り付けられる。したがって、１対の耳部に予め取り付けられた取付ねじを介して照明器具を保持するような従来の構成と比較して、１対の耳部に取付部材が直接固定されるため、より高い強度で照明器具を保持することができる。
【００１１】
また、挟持部で１対の耳部を挟み込むだけで、取付部材を引掛ローゼットに取り付けることができるため、１対の耳部に予め取付ねじを取り付けておくような従来の構成と比較して、照明器具の取付作業が容易である。
【００１２】
前記固定部は、前記挟持部が前記１対の耳部をそれぞれ挟み込んだ状態で、前記１対の耳部にそれぞれ形成されたねじ孔に対向する貫通孔を有していてもよい。
【００１３】
このような構成によれば、貫通孔にねじを通して、１対の耳部にそれぞれ形成されたねじ孔に締め付けることにより、１対の耳部をそれぞれ挟み込んだ挟持部がしっかりと固定される。これにより、挟持部が１対の耳部から外れるのを防止することができるため、より高い強度で照明器具を保持することができる。
【００１４】
前記保持部は、前記照明器具を前記引掛ローゼットに接近させた場合に、前記照明器具に接触することにより、当該照明器具を引っ掛けた状態で保持可能な係合部を有していてもよい。
【００１５】
このような構成によれば、例えば下方や水平方向などから照明器具を引掛ローゼットに接近させて係合部に接触させるだけで、当該照明器具を係合部に引っ掛けた状態で保持させることができる。したがって、照明器具の本体部を水平面内で回転させた後、各取付ねじを締め付ける作業を行うような従来の構成と比較して、照明器具の取付作業が容易である。特に、取付部材を引掛ローゼットに予め取り付けた状態にしておけば、その後の照明器具の取付作業は極めて容易である。また、照明器具を水平方向にスライドするように引掛ローゼットに接近させて、係合部に接触させるような構成であれば、照明器具を係合部から外れにくくすることができるため、照明器具の落下を防止することができる。
【００１６】
本発明に係る照明装置は、前記取付部材と、前記取付部材に取付可能な照明器具とを備え、前記照明器具は、前記取付部材により保持される本体部と、前記本体部に取り付けられたＬＥＤ素子と、前記ＬＥＤ素子の外側を覆うためのカバー部材とを有し、前記本体部、前記ＬＥＤ素子及び前記カバー部材が一体的に構成された状態で、前記取付部材に前記照明器具を取付可能であることを特徴とする。
【００１７】
このような構成によれば、本体部、ＬＥＤ素子及びカバー部材が一体的に構成された状態で、取付部材に照明器具を取付可能であるため、本体部を引掛ローゼットに固定した後にカバー部材を取り付けるような従来の構成と比較して、照明器具の取付作業が容易である。
【００１８】
特に、ＬＥＤ素子は、蛍光灯などと比較して寿命が長いため、頻繁にカバー部材を取り外してＬＥＤ素子を交換する必要がない。そのため、本体部、ＬＥＤ素子及びカバー部材を一体的に取り扱うことができる本発明による効果が特に顕著である。
【００１９】
また、従来のように、照明器具の本体部の中央に開口部が形成された構成にする必要がないため、ＬＥＤ素子を本体部の照射面（例えば下面）に均一に配置することができる。ＬＥＤ素子は、蛍光灯などと比較して、広範囲にムラなく照射することが難しいため、ＬＥＤ素子を本体部の照射面に均一に配置することによって、よりムラの少ない照射が可能になる。
【００２０】
本発明に係る別の照明装置は、前記取付部材と、前記取付部材に取付可能な照明器具とを備え、前記取付部材及び前記照明器具のうち少なくとも一方は、前記係合部による前記照明器具の保持状態を解除するために操作可能な操作部を有することを特徴とする。
【００２１】
このような構成によれば、操作部を操作することにより、係合部による照明器具の保持状態を容易に解除して、照明器具を取り外すことができる。したがって、照明器具の交換作業やメンテナンス作業などを容易に行うことができる。
【発明の効果】
【００２２】
本発明によれば、１対の耳部をそれぞれ挟み込んだ状態で挟持部が固定されることにより、取付部材が引掛ローゼットに取り付けられるため、より高い強度で照明器具を保持することができる。また、本発明によれば、挟持部で１対の耳部を挟み込むだけで、取付部材を引掛ローゼットに取り付けることができるため、照明器具の取付作業が容易である。
【図面の簡単な説明】
【００２３】
【図１】本発明の一実施形態に係る照明装置の構成例を示した斜視図である。
【図２】照明装置の分解斜視図である。
【図３】引掛ローゼット及び取付部材の具体的構成について説明するための斜視図である。
【図４】引掛ローゼットに対する取付部材の取付態様について説明するための要部拡大斜視図である。
【図５】保持部による照明器具の保持態様について説明するための要部拡大斜視図である。
【図６】照明器具の変形例について説明するための平面図である。
【図７】別実施形態に係る取付部材の構成例を示した斜視図である。
【図８】図７の取付部材の保持部により保持可能な照明器具の取付部の構成例を示した斜視図である。
【発明を実施するための形態】
【００２４】
図１は、本発明の一実施形態に係る照明装置１の構成例を示した斜視図である。また、図２は、照明装置１の分解斜視図である。本実施形態に係る照明装置１は、天井に設けられた引掛ローゼット１００に対して下方から取付可能である。図１及び図２では、天井から引掛ローゼット１００を取り外した状態で、照明装置１を斜め上方から見た図を示している。
【００２５】
照明装置１は、引掛ローゼット１００に取り付けられる取付部材２と、取付部材２に取付可能な照明器具３とを備えている。照明器具３は、例えば本体部３１、照明部３２、電源部３３、コネクタ３４及びカバー部材３５などを備えている。これらの各部３１〜３５は、一体的に構成された状態で取付部材２に取付可能である。すなわち、本体部３１を取付部材２に取り付けた後に、本体部３１にカバー部材３５を取り付けるような構成ではなく、カバー部材３５を本体部３１に取り付けた状態で、照明器具３を取付部材２に取り付けることができるようになっている。
【００２６】
本体部３１は、例えば平面視で円形状に形成され、取付部材２に対向する面（上面）には、当該本体部３１を取付部材２に引っ掛けて保持させるための取付部３１１が設けられている。本実施形態では、１対の取付部３１１が本体部３１の中央部を挟んで対称配置されているが、このような構成に限らず、例えば取付部３１１が１つだけ設けられた構成であってもよいし、３つ以上設けられた構成であってもよい。
【００２７】
照明部３２は、本体部３１に取り付けられ、下方に向かって光を照射する。本実施形態では、基板３２１の下面に複数のＬＥＤ素子３２２が取り付けられることにより、照明部３２が構成されている。光源はＬＥＤ素子３２２に限られるものではないが、本発明は、光源がＬＥＤ素子３２２である場合に特に有利な効果を奏する。なお、図２では、複数のＬＥＤ素子３２２の一部のみが図示されている。
【００２８】
電源部３３は、基板３２１を介してＬＥＤ素子３２２に電力を供給する。電源部３３には、配線（図示せず）を介してコネクタ３４が接続されている。コネクタ３４は、引掛ローゼット１００に接続され、当該コネクタ３４を介して、引掛ローゼット１００から電源部３３に商用電源を供給することができるようになっている。電源部３３は、引掛ローゼット１００から供給される交流電源を直流電源に変換し、複数のＬＥＤ素子３２２に供給する。電源部３３には、リモートコントローラ（図示せず）からの信号を受信するための受信部が備えられていてもよい。
【００２９】
カバー部材３５は、その下面３５１の少なくとも一部が透光性を有する材料により形成されている。カバー部材３５は、例えば本体部３１に下方から取り付けられ、本体部３１との間に照明部３２及び電源部３３などを収容する。これにより、複数のＬＥＤ素子３２２の外側がカバー部材３５により覆われ、各ＬＥＤ素子３２２からの光が、カバー部材３５の下面３５１を透過して下方に照射されるようになっている。
【００３０】
図３は、引掛ローゼット１００及び取付部材２の具体的構成について説明するための斜視図である。また、図４は、引掛ローゼット１００に対する取付部材２の取付態様について説明するための要部拡大斜視図である。
【００３１】
引掛ローゼット１００は、天井に固定されるシーリング部１０１と、シーリング部１０１に取り付けられた１対の耳部１０２とを備えている。シーリング部１０１は、例えば平面視で円形状に形成され、１対の耳部１０２がシーリング部１０１の中央部を挟んで対称配置されている。各耳部１０２は、例えば金属板により形成されており、下方に向かって折り曲げられた垂下部１０３と、垂下部１０３の下端から水平方向に延びる水平部１０４と、水平部１０４における垂下部１０３側とは反対側の端部から上方に向かって折り曲げられた先端部１０５とが一体的に構成されている。各耳部１０２の水平部１０４には、ねじ孔１０６が形成されている。
【００３２】
本実施形態における取付部材２は、引掛ローゼット１００の耳部１０２に対して取付可能な構成を有している。ただし、取付部材２は引掛ローゼット１００の耳部１０２に対して取付可能であればよく、例えば耳部を備えていない引掛シーリングに、耳部を構成するための部品を取り付けることにより、当該部品を介して引掛シーリングに取付部材２を取り付けることができるような構成などであってもよい。
【００３３】
取付部材２は、例えば金属板により形成されており、引掛ローゼット１００のシーリング部１０１の直径よりも大きい幅を有する長方形状の基部２１と、基部２１の中央部から上方に向かって突出する１対の固定部２２と、基部２１の長手方向両端部から下方に延びる１対の保持部２３とを備えている。本実施形態では、金属板を折り曲げることにより、基部２１、固定部２２及び保持部２３が一体的に構成されているが、このような構成に限られるものではない。
【００３４】
１対の固定部２２は、引掛ローゼット１００の１対の耳部１０２に対応する位置に設けられており、各固定部２２が対応する耳部１０２にそれぞれ固定される。各固定部２２は、その根元部（下端部）に切欠きが形成されており、当該切欠きが引掛ローゼット１００の耳部１０２を受け入れるための収容溝２２１を構成している。また、収容溝２２１が形成されることにより、各固定部２２は基部２１に対して片持ち支持された構成となっており、その先端部側が、引掛ローゼット１００の耳部１０２を挟み込んだ状態で固定するための挟持部２２２を構成している。
【００３５】
取付部材２を引掛ローゼット１００に取り付ける際には、まず図４（ａ）に示すように、取付部材２の基部２１の中央部を引掛ローゼット１００のシーリング部１０１に対して下方から当接させる。このとき、引掛ローゼット１００の１対の耳部１０２が、それぞれ対応する固定部２２の収容溝２２１に対して、水平方向に対向した状態となる。この状態で、取付部材２を水平面内で回転させることにより、図４（ｂ）に示すように、各耳部１０２の水平部１０４を収容溝２２１内に収容し、当該水平部１０４を挟持部２２２により挟み込むことができる。
【００３６】
このように、本実施形態では、１対の耳部１０２をそれぞれ挟み込んだ状態で挟持部２２２が固定されることにより、取付部材２が引掛ローゼット１００に取り付けられる。したがって、１対の耳部１０２に予め取り付けられた取付ねじを介して照明器具を保持するような従来の構成と比較して、１対の耳部１０２に取付部材２が直接固定されるため、より高い強度で照明器具３を保持することができる。
【００３７】
また、挟持部２２２で１対の耳部１０２を挟み込むだけで、取付部材２を引掛ローゼット１００に取り付けることができるため、１対の耳部１０２に予め取付ねじを取り付けておくような従来の構成と比較して、照明器具３の取付作業が容易である。
【００３８】
本実施形態では、取付部材２のがたつきを防止する観点から、収容溝２２１の高さ（挟持部２２２と基部２１との間隔）は、耳部１０２の水平部１０４の厚みと同程度に設定されている。また、本実施形態では、挟持部２２２の先端部が内側（シーリング部１０１側）に向かって傾斜するように折り曲げられることにより、耳部１０２の水平部１０４を収容溝２２１内に収容する際、耳部１０２の先端部１０５を挟持部２２２の外側（シーリング部１０１側とは反対側）に導きやすい構成となっている。
【００３９】
基部２１の中央部には、取付部材２が引掛ローゼット１００に取り付けられた状態でシーリング部１０１に対向する開口部２４が形成されている。これにより、取付部材２を引掛ローゼット１００に取り付けた後、開口部２４を通して下方からコネクタ３４を引掛ローゼット１００に接続することができる。
【００４０】
図３に示すように、基部２１の中央部には、開口部２４の周縁部を構成する段差部２５が形成されている。当該段差部２５は、下方に向かって窪むように形成された平面視で円形状の凹部であり、引掛ローゼット１００のシーリング部１０１に対応する円形状に形成されている。取付部材２を引掛ローゼット１００に取り付ける際には、段差部２５の上面を引掛ローゼット１００のシーリング部１０１の下面に当接させた状態で取付部材２を回転させることにより、固定部２２の挟持部２２２で１対の耳部１０２を確実に挟み込むことができる。
【００４１】
基部２１には、１対の耳部１０２の各ねじ孔１０６に対応する位置に貫通孔２６が形成されている。当該貫通孔２６は、固定部２２の挟持部２２２が１対の耳部１０２をそれぞれ挟み込んだ状態で、１対の耳部１０２の各ねじ孔１０６に対向する。したがって、貫通孔２６にねじ２７を通して、１対の耳部１０２にそれぞれ形成されたねじ孔１０６に締め付けることにより、１対の耳部１０２をそれぞれ挟み込んだ挟持部２２２がしっかりと固定される。これにより、挟持部２２２が１対の耳部１０２から外れるのを防止することができるため、より高い強度で照明器具３を保持することができる。ただし、貫通孔２６を省略して、取付部材２を挟持部２２２のみで固定したり、挟持部２２２と他の部分とで固定したりすることも可能である。
【００４２】
基部２１は、１対の固定部２２よりも外側（保持部２３側）の部分が折り曲げられることにより、両端部２８が一段高く構成されている。これにより、取付部材２が引掛ローゼット１００に取り付けられた状態で、基部２１の両端部２８を天井に接近させ、照明器具３と天井との隙間を小さくすることができる。
【００４３】
１対の保持部２３は、照明器具３を保持するための部分であり、例えば照明器具３を引っ掛けた状態で保持可能な係合部２３１をそれぞれ備えている。当該係合部２３１は、照明器具３を引掛ローゼット１００に対向する方向（下方）から接近させた場合に、照明器具３の取付部３１１に接触して引っ掛かるようになっている。
【００４４】
図５は、保持部２３による照明器具３の保持態様について説明するための要部拡大斜視図である。本実施形態では、保持部２３の係合部２３１に照明器具３の取付部３１１を引っ掛けた状態で保持するような構成について説明するが、照明器具３の保持態様は、以下に説明するような態様に限らず、他の態様であってもよい。
【００４５】
本実施形態における各保持部２３は、それぞれ外側（シーリング部１０１側とは反対側）に突出する係合部２３１及び１対のガイド部２３２を備えている。これらの係合部２３１及び１対のガイド部２３２は、例えば金属板からなる保持部２３を折り曲げることにより形成されているが、このような構成に限られるものではない。
【００４６】
係合部２３１は、断面Ｌ字状に突出するように形成されることにより、第１傾斜面２３３と第２傾斜面２３４とを有している。１対のガイド部２３２は、照明器具３の取付部３１１の幅と同程度の間隔を隔てて互いに対向しており、これにより、１対のガイド部２３２の間に取付部３１１を導くことができるようになっている。また、１対のガイド部２３２の下端部は、互いに遠ざかる方向に向かって傾斜するように折り曲げられることにより、下方から接近する照明器具３の取付部３１１を１対のガイド部２３２の間に導きやすい構成となっている。
【００４７】
取付部３１１は、例えば金属板をＬ字状に折り曲げることにより形成され、照明器具３の本体部３１に固定される水平部３１２と、水平部３１２の端部から鉛直上方に向かって延びる鉛直部３１３とを有している。鉛直部３１３には、その中央部に第１開口部３１４が形成されるとともに、第１開口部３１４を挟んで幅方向両側に１対の第２開口部３１５が形成されている。
【００４８】
第１開口部３１４は、保持部２３の係合部２３１が入り込むことができるような矩形状に形成されており、その上端辺には、斜め下方に向かって延びる係合部３１６が、外側（シーリング部１０１側とは反対側）に突出するように形成されている。この係合部３１６は、保持部２３の係合部２３１の第１傾斜面２３３と同程度の傾斜角度を有していることが好ましい。
【００４９】
図５（ａ）に示すように、照明器具３を取付部材２に取り付ける際には、取付部材２の保持部２３に対して、照明器具３の本体部３１に固定された取付部３１１を下方から接近させる。そして、取付部３１１の鉛直部３１３を保持部２３の１対のガイド部２３２の間に導き、当該鉛直部３１３を保持部２３の外側（シーリング部１０１側とは反対側）に対面させる。このとき、図５（ｂ）に示すように、保持部２３の係合部２３１が取付部３１１の第１開口部３１４内に入り込み、係合部２３１の第１傾斜面２３３が取付部３１１の係合部３１６に面接触する。これにより、照明器具３を保持部２３の係合部２３１に引っ掛けた状態で保持することができる。
【００５０】
このように、本実施形態では、照明器具３を引掛ローゼット１００に対向する方向（例えば下方）から接近させて係合部２３１に接触させるだけで、当該照明器具３を係合部２３１に引っ掛けた状態で保持させることができる。したがって、照明器具の本体部を水平面内で回転させた後、各取付ねじを締め付ける作業を行うような従来の構成と比較して、照明器具３の取付作業が容易である。特に、取付部材２を引掛ローゼット１００に予め取り付けた状態にしておけば、その後の照明器具３の取付作業は極めて容易である。
【００５１】
ただし、照明器具３の本体部３１に固定された取付部３１１を下方から接近させたときに、取付部３１１の鉛直部３１３が、保持部２３の外側（シーリング部１０１側とは反対側）に対面するような構成ではなく、保持部２３の内側（シーリング部１０１側）に対面するような構成であってもよい。この場合、１対のガイド部２３２は、保持部２３の外側に突出するような構成ではなく、保持部２３の内側に突出するような構成であってもよい。
【００５２】
図６は、照明器具３の変形例について説明するための平面図である。この例では、係合部２３１による照明器具３の保持状態を解除するために操作可能な操作部３６が、照明器具３の本体部３１に設けられている。
【００５３】
より具体的には、棒状の１対の操作部３６が、それぞれ本体部３１の中央部に向かって水平方向にスライド可能な状態で、本体部３１の上面に取り付けられている。各操作部３６は、ばねなどの付勢部材（図示せず）により、外側（本体部３１の中央部側とは反対側）に向かって付勢され、その付勢力に抗して各操作部３６を押し込むことができるようになっている。
【００５４】
押し込まれた各操作部３６の先端部は、例えば取付部材２の係合部２３１に接触可能となっている。したがって、各操作部３６を押し込み、それぞれの先端部で１対の係合部２３１を押圧することにより、取付部材２の保持部２３を弾性変形させて、取付部３１１に対する係合部２３１の接触状態を解除することができる。
【００５５】
このような構成によれば、操作部３６を操作することにより、係合部２３１による照明器具３の保持状態を容易に解除して、照明器具３を取り外すことができる。したがって、照明器具３の交換作業やメンテナンス作業などを容易に行うことができる。また、上述のように、係合部２３１の第１傾斜面２３３が取付部３１１の係合部３１６に面接触するような構成であれば、係合部２３１による照明器具３の保持状態をスムーズに解除することができる。
【００５６】
ただし、操作部３６は、上記のような構成に限られるものではなく、例えば取付部３１１の第２開口部３１５内に操作部３６を通して、当該第２開口部３１５に対向している保持部２３（図５（ｂ）参照）を押圧するような構成など、他のあらゆる構成を採用することができる。また、操作部３６は、照明器具３ではなく取付部材２に設けられていてもよいし、取付部材２及び照明器具３の両方に設けられたような構成であってもよい。さらに、操作部３６は、１対からなるものに限らず、例えば操作部３６が１つだけ設けられた構成であってもよいし、３つ以上設けられた構成であってもよい。
【００５７】
本実施形態の照明器具３は、本体部３１、ＬＥＤ素子３２２及びカバー部材３５などが一体的に構成された状態で、取付部材２に取付可能である。そのため、本体部を引掛ローゼットに固定した後にカバー部材を取り付けるような従来の構成と比較して、照明器具３の取付作業が容易である。
【００５８】
特に、ＬＥＤ素子３２２は、蛍光灯などと比較して寿命が長いため、頻繁にカバー部材３５を取り外してＬＥＤ素子３２２を交換する必要がない。そのため、本体部３１、ＬＥＤ素子３２２及びカバー部材３５などを一体的に取り扱うことができる本発明による効果が特に顕著である。
【００５９】
また、従来のように、照明器具の本体部の中央に開口部が形成された構成にする必要がないため、ＬＥＤ素子３２２を本体部３１の照射面（例えば下面）に均一に配置することができる。ＬＥＤ素子３２２は、蛍光灯などと比較して、広範囲にムラなく照射することが難しいため、ＬＥＤ素子３２２を本体部３１の照射面に均一に配置することによって、よりムラの少ない照射が可能になる。
【００６０】
ただし、本発明に係る取付部材２は、ＬＥＤ素子３２２を光源とする照明器具３に限らず、例えば蛍光灯などの他の光源を備えた照明器具にも適用可能である。
【００６１】
図７は、別実施形態に係る取付部材２９の構成例を示した斜視図である。また、図８は、図７の取付部材２９の保持部２９２により保持可能な照明器具３の取付部３７の構成例を示した斜視図である。本実施形態において、上記実施形態と同様の構成については、図に同一符号を付して詳細な説明を省略する。
【００６２】
図７に示すように、取付部材２９は、例えば金属板により形成されており、引掛ローゼット１００のシーリング部１０１の直径よりも大きい幅を有する長方形状の基部２９１と、基部２９１の幅方向両端部から下方に延びる１対の保持部２９２とを備えている。本実施形態では、金属板を折り曲げることにより、基部２９１及び保持部２９２が一体的に構成されているが、このような構成に限られるものではない。
【００６３】
１対の保持部２９２は、照明器具３を保持するための部分であり、例えば照明装置３を引っ掛けた状態で保持可能な係合部２９３と、係合部２９３を基部２９１に連結する連結部２９４とをそれぞれ備えている。各係合部２９３は、例えば基部２９１の長手方向に平行な方向に沿って水平に延びており、それぞれの係合部２９３における一方の長辺が、基部２９１の幅方向両端辺から下方に延びる連結部２９４の下端辺に連結されている。これにより、各保持部２９２はＬ字状に構成され、各保持部２９２の係合部２９３が、互いに接近する方向（内側）に向かって延びるように形成されている。
【００６４】
各保持部２９２の連結部２９４には、内側（係合部２９３が突出する方向と同じ方向）に向かって突出するストッパ部２９５が形成されている。当該ストッパ部２９５は、連結部２９４の一部を内側に向かって折り曲げることにより形成することができ、この例では台形状に折り曲げられた形状となっている。
【００６５】
図８に示すように、取付部３７は、例えば金属板を折り曲げることにより形成され、照明器具３の本体部３１に固定される長方形状の水平部３７１と、水平部３７１の幅方向の両端辺から鉛直上方に向かって延びる鉛直部３７２とを有している。各鉛直部３７２の上端部における長手方向中央部には、金属板を折り曲げることにより係合部３７３が形成されている。
【００６６】
取付部３７の各係合部３７３は、取付部３７の長手方向に対して平行に延びており、長手方向に対して直交する方向の断面形状が矩形状となるように折り曲げられている。取付部３７の各係合部３７３は、取付部材２９の各係合部２９３の間隔と同程度の間隔を隔てて水平方向に対向している。また、取付部３７の各係合部３７３の高さは、取付部材２９の各係合部２９３と基部２９１との間隔にほぼ一致している。このような構成によれば、取付部３７の長手方向に沿って水平方向にスライドするように、照明器具３を引掛ローゼット１００に接近させることにより、取付部３７の各係合部３７３を取付部材２９の各係合部２９３上に当接させた状態で接触させることができる。
【００６７】
取付部３７の各係合部３７３における外側の面、すなわち、取付部３７を取付部材２９に取り付けたときに取付部材２９の連結部２９４に対向する面には、取付部材２９のストッパ部２９５を受け入れるためのストッパ受入部３７４が形成されている。各ストッパ受入部３７４は、各ストッパ部２９５に対応する形状で内側に窪むように形成されている。各ストッパ受入部３７４は、各係合部３７３の一部を内側に向かって折り曲げることにより形成することができ、この例では台形状に折り曲げられた形状となっている。
【００６８】
取付部３７の各係合部３７３における長手方向の両端部は、それぞれ先細りするように折り曲げられた形状となっている。これにより、取付部３７の各係合部３７３を取付部材２９の各係合部２９３と基部２９１との間に導きやすい構成となっている。また、各鉛直部３７２の上端部における長手方向両端部、すなわち係合部２９３を挟んで両側の部分３７６は、内側に向かって折り曲げられた形状となっている。これにより、取付部３７の各係合部３７３を取付部材２９の各係合部２９３と基部２９１との間に導く直前に、上記部分３７６が取付部材２９に接触しにくくなるため、取付部材２９に対して取付部３７をよりスムーズに取り付けることができる。
【００６９】
本実施形態では、照明器具３を引掛ローゼット１００に水平方向から接近させて係合部２９３に接触させるだけで、当該照明器具３を係合部２９３に引っ掛けた状態で保持させることができる。したがって、照明器具の本体部を水平面内で回転させた後、各取付ねじを締め付ける作業を行うような従来の構成と比較して、照明器具３の取付作業が容易である。特に、取付部材２９を引掛ローゼット１００に予め取り付けた状態にしておけば、その後の照明器具３の取付作業は極めて容易である。また、本実施形態のような構成であれば、図１〜図６の実施形態と比較して、照明器具３を係合部２９３から外れにくくすることができるため、照明器具３の落下を防止することができる。
【符号の説明】
【００７０】
１      照明装置
２      取付部材
３      照明器具
２２    固定部
２３    保持部
２６    貫通孔
３１    本体部
３２    照明部
３３    電源部
３４    コネクタ
３５    カバー部材
３６    操作部
１００  引掛ローゼット
１０１  シーリング部
１０２  耳部
１０６  ねじ孔
２２１  収容溝
２２２  挟持部
２３１  係合部
２３２  ガイド部
３１１  取付部
３１６  係合部
３２２  ＬＥＤ素子
【図１】
2013149556.tif 000003
【図２】
2013149556.tif 000004
【図３】
2013149556.tif 000005
【図４】
2013149556.tif 000006
【図５】
2013149556.tif 000007
【図６】
2013149556.tif 000008
【図７】
2013149556.tif 000009
【図８】
2013149556.tif 000010